(57)【要約】【課題】一つの検知手段により第１及び第２カバーの閉鎖を検知することができるシート供給装置及びこれを備えた画像形成装置を提供する。【解決手段】内部にシートを収納する装置本体に第１及び第２カバー５１，５３を設け、第１及び第２カバー５１，５３を閉鎖する際は、第２カバー５３を閉鎖した後、第１カバー５１を閉鎖する。そして、第１カバー５１が閉鎖されたことを検知する検知手段６２を設け、この検知手段６２を、第２カバー５３が開放された状態で第１カバー５１が閉鎖されたときには第１カバー５１の閉鎖を検知せず、第２カバー５３が閉鎖された状態で第１カバー５１が閉鎖されたときに第１カバー５１の閉鎖を検知するようにする。【選択図】　　　図１
2004090285.tif 000002
【特許請求の範囲】
【請求項１】
内部にシートを収納する装置本体に第１カバー及び第２カバーを設けたシート供給装置であって、
前記第１カバーが閉鎖されたことを検知する検知手段を備え、
前記検知手段は前記第２カバーが開放された状態で前記第１カバーが閉鎖されたときには該第１カバーの閉鎖を検知せず、前記第２カバーが閉鎖された状態で前記第１カバーが閉鎖されたときに該第１カバーの閉鎖を検知することを特徴とするシート供給装置。
【請求項２】
前記検知手段は、前記第２カバーの開放に伴って前記第１カバーの閉鎖を検知しない位置に移動し、前記第２カバーの閉鎖に伴って前記第１カバーの閉鎖を検知する位置に移動することを特徴とする請求項１記載のシート供給装置。
【請求項３】
前記検知手段を保持する移動可能な保持部材を備え、前記保持部材を前記第２カバーの開放に伴って前記検知手段が第１カバーの閉鎖を検知しない位置に移動させ、前記第２カバーの閉鎖に伴って前記検知手段が第１カバーの閉鎖を検知する位置に移動させることを特徴とする請求項２記載のシート供給装置。
【請求項４】
前記第１カバーまたは前記第２カバーの開閉に伴って移動することにより前記検知手段をＯＮ／ＯＦＦして前記第１カバーまたは前記第２カバーの開閉を検知させるための移動部材を備え、
前記移動部材は、前記検知手段に前記第１カバーの閉鎖を検知させるための第１位置と前記検知手段に前記第１カバーの閉鎖を検知させないための第２位置とに移動可能であり、且つ、前記第２カバーが閉鎖された状態において、前記移動部材は、前記第１カバーの開放に伴って前記第１位置から前記第２位置に移動し、前記第１カバーの閉鎖に伴って前記第２位置から前記第１位置に移動することを特徴とする請求項１に記載のシート供給装置。
【請求項５】
前記移動部材は、前記第１カバーが開放された後、前記第２カバーが開放されると、前記第２位置から前記検知手段に前記第１カバーの閉鎖を検知させない他の位置に移動し、該第２カバーが閉鎖されると、前記他の位置から第２位置に移動し、且つ、前記他の位置にあるときに前記第１カバーが閉鎖されても前記第１位置に移動しないことを特徴とする請求項４記載のシート供給装置。
【請求項６】
前記第１カバーに設けられ、前記移動部材と当接することが可能な当接部を有し、
前記第１カバーを閉鎖すると、前記第２位置にある前記移動部材と前記当接部とが当接して前記移動部材を前記第１位置に移動させ、前記移動部材が前記他の位置にあるときに前記第１カバーを閉鎖しても、前記当接部とは当接せず、前記移動部材が前記検知手段に前記第１カバーの閉鎖を検知させない位置に留まることを特徴とする請求項５に記載のシート供給装置。
【請求項７】
前記第１カバーに移動自在に設けられ、該第１カバーが前記第２カバーの前に閉鎖されたことを表示する表示部材を備え、
前記第２カバーが閉鎖されていない状態で前記第１カバーが閉鎖されると、前記表示部材は前記第１カバーが前記第２カバーよりも前に閉鎖されたことを表示する位置に移動することを特徴とする請求項１乃至６のいずれか１項に記載のシート供給装置。
【請求項８】
シートに画像を形成する画像形成部と、前記シートを供給する前記請求項１乃至７のいずれか１項に記載のシート供給装置とを備えたことを特徴とする画像形成装置。
【発明の詳細な説明】
【０００１】
【発明の属する技術分野】
本発明は、シート供給装置及びこれを備えた画像形成装置に関し、特にシート供給装置本体に設けられた第１及び第２カバーの閉鎖を検知する構成に関する。
【０００２】
【従来の技術】
従来のプリンタや複写機等の画像形成装置においては、装置の高速化に伴い画像を形成するためのシートを大量に収納することが求められているが、画像形成装置本体内でのシート収納容量を増やすようにすると、画像形成装置本体の大型化を招くことから大容量化には限度がある。このため、画像形成装置本体内に装着されるシートカセットの他に、装置本体の側面にシート供給装置を設けることにより、シートの大容量化を図るようにしたものがある。
【０００３】
図１２は、このようなシート供給装置を設けた画像形成装置の一部断面正面図であり、同図において、１は例えば電子写真方式によりシートに画像を形成する画像形成装置本体、１ａ、１ｂは画像形成装置本体１に着脱自在に取り付けられているシートカセットである。
【０００４】
５０は、画像形成装置本体１の側面に配置されたシート供給装置であり、このシート供給装置５０は、シート供給装置本体（以下、装置本体という）５０Ａの内部にシートＳを積載収納する不図示のリフタと、リフタに積載されたシートＳを画像形成装置本体１に送り出す不図示の給紙ローラとを備えている。
【０００５】
また、このシート供給装置５０の装置本体５０Ａには、シートＳを補給する際、或はジャム処理等を行う際に開放される、上カバー５１及び右カバー５３を備えている。ここで、第１カバーである上カバー５１は、例えばシートＳを補給する際、図１３に示すように回動支持軸５２を支点として上方に回動させることにより開放され、第２カバーである右カバー５３は回動支持軸５４を支点として下方に回動させることにより開放されるようになっている。
【０００６】
ところで、この上カバー５１及び右カバー５３には、図１４に示すように各カバー５１，５３の開閉を検知するためのセンサフラグ部５５，５６がそれぞれ設けられている。また、装置本体５０Ａには上カバー５１に設けられたセンサフラグ部５５により上カバー５１の開閉を検知する検知手段である上カバー開閉センサ１０１と、右カバー５３に設けられたセンサフラグ部５６により右カバー５３の開閉を検知する右カバー開閉センサ１０２が設けられている。
【０００７】
なお、この各カバー開閉センサ１０１，１０２は、フォトインタラプタであり、各カバー５１，５３を閉鎖する際、不図示のフォトインタラプタのスリット部にセンサフラグ部５５，５６が挿入されると、このセンサフラグ部５５，５６の遮光動作により、各カバー５１，５３の閉鎖を検知するようになっている。
【０００８】
ここで、この各カバー開閉センサ１０１，１０２は不図示のコントローラに接続されており、このコントローラは各カバー開閉センサ１０１，１０２からの信号に基づき、各カバー５１，５３が閉じられていると判定するとシート供給装置５０によるシート給送動作を可能とし、各カバー５１，５３の少なくとも１方が開放されていると判定するとシート供給装置５０を停止状態とするようにしている。
【０００９】
【発明が解決しようとする課題】
ところが、このような従来のシート供給装置において、各カバー５１，５３に対応してそれぞれカバー開閉センサ１０１，１０２を設けた場合、演算するコントローラ部を含め装置コストが上昇する。また、カバー５１，５３の開閉状態を複数のセンサ１０１，１０２により判断するようにした場合、装置の信頼性が低下する。
【００１０】
そこで、本発明は、このような現状に鑑みてなされたものであり、一つのセンサ（検知手段）により第１及び第２カバーの閉鎖を検知することができるシート供給装置及びこれを備えた画像形成装置を提供することを目的とするものである。
【００１１】
【課題を解決するための手段】
本発明は、内部にシートを収納する装置本体に第１カバー及び第２カバーを設けたシート供給装置であって、前記第１カバーが閉鎖されたことを検知する検知手段を備え、前記検知手段は前記第２カバーが開放された状態で前記第１カバーが閉鎖されたときには該第１カバーの閉鎖を検知せず、前記第２カバーが閉鎖された状態で前記第１カバーが閉鎖されたときに該第１カバーの閉鎖を検知することを特徴とするものである。
【００１２】
また本発明は、前記検知手段は、前記第２カバーの開放に伴って前記第１カバーの閉鎖を検知しない位置に移動し、前記第２カバーの閉鎖に伴って前記第１カバーの閉鎖を検知する位置に移動することを特徴とするものである。
【００１３】
また本発明は、前記検知手段を保持する移動可能な保持部材を備え、前記保持部材を前記第２カバーの開放に伴って前記検知手段が第１カバーの閉鎖を検知しない位置に移動させ、前記第２カバーの閉鎖に伴って前記検知手段が第１カバーの閉鎖を検知する位置に移動させることを特徴とするものである。
【００１４】
また本発明は、前記第１カバーまたは前記第２カバーの開閉に伴って移動することにより前記検知手段をＯＮ／ＯＦＦして前記第１カバーまたは前記第２カバーの開閉を検知させるための移動部材を備え、前記移動部材は、前記検知手段に前記第１カバーの閉鎖を検知させるための第１位置と前記検知手段に前記第１カバーの閉鎖を検知させないための第２位置とに移動可能であり、且つ、前記第２カバーが閉鎖された状態において、前記移動部材は、前記第１カバーの開放に伴って前記第１位置から前記第２位置に移動し、前記第１カバーの閉鎖に伴って前記第２位置から前記第１位置に移動することを特徴とするものである。
【００１５】
また本発明は、前記移動部材は、前記第１カバーが開放された後、前記第２カバーが開放されると、前記第２位置から前記検知手段に前記第１カバーの閉鎖を検知させない他の位置に移動し、該第２カバーが閉鎖されると、前記他の位置から第２位置に移動し、且つ、前記他の位置にあるときに前記第１カバーが閉鎖されても前記第１位置に移動しないことを特徴とするものである。
【００１６】
また本発明は、前記第１カバーに設けられ、前記移動部材と当接することが可能な当接部を有し、前記第１カバーを閉鎖すると、前記第２位置にある前記移動部材と前記当接部とが当接して前記移動部材を前記第１位置に移動させ、前記移動部材が前記他の位置にあるときに前記第１カバーを閉鎖しても、前記当接部とは当接せず、前記移動部材が前記検知手段に前記第１カバーの閉鎖を検知させない位置に留まることを特徴とするものである。
【００１７】
また本発明は、前記第１カバーに移動自在に設けられ、該第１カバーが前記第２カバーの前に閉鎖されたことを表示する表示部材を備え、前記第２カバーが閉鎖されていない状態で前記第１カバーが閉鎖されると、前記表示部材は前記第１カバーが前記第２カバーよりも前に閉鎖されたことを表示する位置に移動することを特徴とするものである。
【００１８】
また本発明は、画像形成装置において、シートに画像を形成する画像形成部と、前記シートを供給する上記のいずれかに記載のシート供給装置とを備えたことを特徴とするものである。
【００１９】
【発明の実施の形態】
以下、本発明の実施の形態について図面を用いて詳細に説明する。
【００２０】
図１１は、本発明の第１の実施の形態に係るシート供給装置５０を設けた画像形成装置１の一部断面正面図である。なお、同図において、図１２と同一符号は、同一又は相当部分を示している。
【００２１】
シート給送装置５０の装置本体５０Ａに積載されたシートＳは、シート給送手段Ｆにより給送され画像形成装置１に搬送される。シート給送手段Ｆにおいてジャムが発生した場合には、上カバー５１を開放してジャム処理を行う。また、シートＳを補給する際には、上カバー５１と右カバー５３の両方を開放する必要があるために、上カバー５１開放後に右カバー５３を開放してシートＳを補給する。このようにジャム処理の際には必要なカバーのみを開放するために作業者の作業性が向上する。
【００２２】
図１は、本発明の第１の実施の形態に係るシート供給装置のカバー部の構成を示す斜視図である。なお、同図において、図１４と同一符号は、同一又は相当部分を示している。
【００２３】
同図において、６２は検知手段であるカバー検知センサ、６１はカバー検知センサ６２を保持する保持部材であるセンサ取付台であり、このセンサ取付台６１は回動支持軸６３を支点として不図示のシート供給装置本体に回動（移動）可能に、かつ不図示の付勢手段により右カバー側に付勢された状態で取り付けられている。
【００２４】
ここで、このカバー検知センサ６２は、スリット部を有するフォトインタラプタであり、後述するように上カバー５１が閉じられると、このスリット部に上カバー５１に設けられたフラグ５５が挿入されて遮光状態となるようになっている。また、このカバー検知センサ６２は不図示のコントローラに接続されており、このコントローラはカバー検知センサ６２が遮光状態となると、上カバー５１及び右カバー５３が閉鎖されたと判断するようになっている。
【００２５】
５７は右カバー５３に一体的に設けられた右カバー突起部、６４はセンサ取付台６１の右カバー側端に設けられた突き当て部であり、この突き当て部６４は、右カバー５３を閉鎖した状態で右カバー突起部５７と当接する位置に設けられている。なお、８０は不図示のシート供給装置本体に設けられた係止部に係止して右カバー５３を閉鎖状態に保持するための係止突起である。
【００２６】
次に、このように構成されたカバー部における上カバー５１及び右カバー５３の開閉検知について説明する。なお、本実施の形態において、シートＳの補給等のため上カバー５１及び右カバー５３を開放する場合は、上カバー５１を開放した後、右カバー５３を開放し、上カバー５１及び右カバー５３を閉鎖する場合は、右カバー５３を閉鎖した後、上カバー５１を閉鎖するようにしている。
【００２７】
図１に示す状態は、上カバー５１及び右カバー５３が閉鎖された状態であり、このとき、センサ取付台６１上の突き当て部６４が右カバー突起部５７に当接している。また、カバー検知センサ６２の不図示のスリット部には上カバー５１のフラグ（以下、上カバーフラグという）５５が挿入されてカバー検知センサ６２は遮光状態となり、これによりコントローラは上カバー５１及び右カバー５３が閉鎖状態であると判断する。このように、カバー検知センサ６２は、上カバーフラグ５５の挿入、非挿入によりＯＮ／ＯＦＦされて上カバー５１の開閉が検知される。
【００２８】
ここで、例えばシートを補給する際、図２に示すように、まず上カバー５１を開くと、上カバーフラグ５５がカバー検知センサ６２のスリット部から移動する。これにより、カバー検知センサ６２の遮光状態が解除され、コントローラは少なくとも上カバー５１が開放状態となったと判断する。
【００２９】
次に、この後、右カバー５３を開くと、これに伴い図３に示すようにセンサ取付台６１は付勢手段の付勢力により、回動支持軸６３を支点として時計回りに回動し、この後、不図示の係止手段に係止されることにより所定の位置に停止する。なお、このときカバー検知センサ６２のスリット部は透光状態であり、これによりコントローラはカバーが開放状態にあると判断する。
【００３０】
次に、シートの補給が終わって上カバー５１を開いた状態で、右カバー５３を閉じると、この右カバー５３の閉鎖動作に応じ、右カバー突起部５７がセンサ取付台６１の突き当て部６４に当接し、これによりセンサ取付台６１は、停止していた所定の位置から回動して図２に示す状態に戻る。
【００３１】
そして、この後、上カバー５１を閉じると、上カバーフラグ５５がカバー検知センサ６２のスリット部に挿入されて、カバー検知センサ６２が透光状態から遮光状態になり、これによりコントローラは上カバー５１及び右カバー５３が閉鎖状態になったと判断する。
【００３２】
ところで、ユーザが右カバー５３を開いた状態で上カバー５１を閉じると、図４に示すように、右カバー５３が開いている状態のときセンサ取付台６１は所定の位置で停止しているため、カバー検知センサ６２のスリット部に上カバーセンサフラグ５５が挿入されず、カバー検知センサ６２は透光状態のままとなる。つまり、カバー検知センサ６２は上カバー５１の閉鎖を検知せず、コントローラはカバーが開放状態のままであると判断する。
【００３３】
このように、カバー検知センサ６２が、右カバー５３が閉鎖される前、即ち右カバー５３が開放された状態で上カバー５１が閉鎖されたときには上カバー５１の閉鎖を検知せず、右カバー５３が閉鎖された状態で上カバー５１が閉鎖されたときに上カバー５１の閉鎖を検知するようにすることにより、一つのカバー検知センサ６２により上カバー５１及び右カバー５３の閉鎖を検知することができる。
【００３４】
これにより、コントローラの構成が簡易になり、またセンサ及びコントローラ等電気部品のコストを抑えることができる。さらに、上カバー５１及び右カバー５３の閉鎖の検知を１つのセンサで行うことにより、センサの故障率、コントローラの演算等、信頼性も向上する。
【００３５】
次に、本発明の第２の実施の形態について説明する。
【００３６】
図５は、本実施の形態に係るシート供給装置のカバー部の構成を示す斜視図である。なお、同図において、図１と同一符号は、同一又は相当部分を示している。
【００３７】
同図において、７３は検知手段であるカバー検知センサ、７１は移動部材であるカバー検知レバーであり、このカバー検知レバー７１は回動支持軸７４を支点として不図示のシート供給装置本体に回動可能に保持されると共に、カバー検知レバー７１の回動に伴い、カバー検知センサ７３の不図示のスリット部に対して挿抜されるカバー検知センサフラグ７２を有する。
【００３８】
ここで、このカバー検知センサ７３は、スリット部を有するフォトインタラプタであり、後述するように上カバー５１が閉じられると、このスリット部からカバー検知センサフラグ７２が抜き出されて透光状態となるようになっている。また、このカバー検知センサ７３は不図示のコントローラに接続されており、このコントローラはカバー検知センサ７３が透光状態となると、上カバー５１及び右カバー５３が閉鎖されたと判断するようになっている。このように、カバー検知センサ７３は、カバー検知センサフラグ７２の挿入、非挿入によりＯＮ／ＯＦＦされて上カバー５１の開閉が検知される。
【００３９】
７５はカバー検知レバー７１の右カバー側端に設けられたカバー検知レバー突き当て部であり、このカバー検知レバー突き当て部７５は、上カバー５１が開放され右カバー５３が閉鎖された状態で右カバー突起部５７に当接する位置に設けられている。
【００４０】
５８、５９は、上カバー５１に一体的に設けられた第１及び第２突起部、７６はカバー検知レバー７１の上端に設けられたカバー検知レバー突起部であり、このカバー検知レバー突起部７６は、上カバー５１が閉じた状態で、上カバー５１の第１及び第２突起部５８、５９間に位置するように設けられている。
【００４１】
次に、このように構成されたカバー部における上カバー５１及び右カバー５３の開閉検知について説明する。なお、本実施の形態においても、シートＳの補給等のため上カバー５１及び右カバー５３を開放する場合は、上カバー５１を開放した後、右カバー５３を開放し、上カバー５１及び右カバー５３を閉鎖する場合は、右カバー５３を閉鎖した後、上カバー５１を閉鎖するようにしている。
【００４２】
図５に示す状態は、上カバー５１及び右カバー５３が閉鎖された状態であり、このとき、カバー検知レバー７１のカバー検知レバー突起部７６は、上カバー５１の第１及び第２突起部５８，５９間に位置しており、これによりカバー検知レバー７１の位置は規制されている。
【００４３】
なお、このような状態のとき、カバー検知センサフラグ７２はカバー検知センサ７３のスリット部に挿入されていないことから、カバー検知センサ７３は透光状態となり、これによりコントローラは上カバー５１及び右カバー５３が閉鎖状態であると判断する。
【００４４】
ここで、例えばシートを補給する際、図６に示すように、まず上カバー５１を開くと、この上カバー５１の開放動作に応じ上カバー５１の第１突起部５８がカバー検知レバー７１上のカバー検知突起部７６を押し上げる。これにより、カバー検知レバー７１は回動支持軸７４を中心として回動し、これに伴ってカバー検知センサフラグ７２がカバー検知センサ７３のスリット部へ移動する。
【００４５】
つまり、上カバー５１の開放に伴ってカバー検知レバー７１が、カバー検知センサ７３が上カバー５１の閉鎖を検知する第１位置から、カバー検知センサ７３が上カバー５１の閉鎖を検知しない第２位置に移動する。
【００４６】
この結果、カバー検知センサ７３は、透光状態から遮光状態となり、コントローラは少なくとも上カバー５１が開放状態となったと判断する。なお、この後、カバー検知レバー７１は、不図示の付勢手段の付勢力により、上カバー５１の開放動作に応じ、カバー検知レバー７１上に設けられたカバー検知レバー突き当て部７５が右カバー突起部５７に当接するまで回動して停止する。
【００４７】
次に、この後、右カバー５３を開くと、これに伴い図７に示すように右カバー突起部５７に当接することにより停止していたカバー検知レバー７１は、右カバー５３の開放動作に応じてさらに回動し、図示せぬ係止手段により、カバー検知センサ７３が上カバー５１の閉鎖を検知しない他の位置である所定位置で停止する。なお、この所定位置においてもカバー検知センサフラグ７２は、カバー検知センサ７３のスリット部を遮光しており、これによりコントローラは少なくとも上カバー５１が開放状態にあると判断する。
【００４８】
次に、シートの補給が終わって上カバー５１を開いた状態で、右カバー５３を閉じると、右カバー５３の閉鎖動作に応じ、右カバー突起部５７がカバー検知レバー突き当て部７５に当接し、これによりカバー検知レバー７１は、停止していた所定位置から回動して図６に示す状態（第２位置）に戻る。
【００４９】
そして、この後、上カバー５１を閉じると上カバー５１の第１突起部５８が通過した後、第２突起部５９に設けられた当接部５９Ａがカバー検知レバー突起部７６の上部に当接し、これによりカバー検知レバー７１は、カバー検知レバー突起部７６を第１及び第２突起部５８，５９間に入り込ませながら下方回動する。この結果、カバー検知センサフラグ７２がカバー検知センサ７３のスリット部から移動し、カバー検知センサ７３が遮光状態から透光状態になる。これにより、コントローラは上カバー５１及び右カバー５３が閉鎖状態になったと判断する。
【００５０】
ところで、ユーザが右カバー５３を開いた状態で上カバー５１を閉じると、このとき図８に示すようにカバー検知レバー７１は所定の位置で停止しているため、上カバー５１を閉じても、上カバー５１の第２突起部５９は、カバー検知レバー突起部７６を当接せず、カバー検知レバー７１は回動しない。
【００５１】
そして、このようにカバー検知レバー７１が回動しない場合には、カバー検知センサフラグ７２がカバー検知センサ７３のスリット部から移動せず、カバー検知センサ７３は遮光状態のままとなる。つまり、カバー検知センサ７３は上カバー５１の閉鎖を検知せず、コントローラはカバーが開放状態のままであると判断する。
【００５２】
このように、本実施の形態によっても、カバー検知センサ７３が、右カバー５３が閉鎖される前に上カバー５１が閉鎖されたときには上カバー５１の閉鎖を検知せず、右カバー５３が閉鎖された状態で上カバー５１が閉鎖されたときに上カバー５１の閉鎖を検知するようにすることにより、一つのカバー検知センサ７３により上カバー５１及び右カバー５３の閉鎖を検知することができる。さらに、本実施の形態においては、カバー検知センサ７３を固定させて配置することができ、配線が容易になる。
【００５３】
次に、本発明の第３の実施の形態について説明する。
【００５４】
図９は、本実施の形態に係るシート供給装置のカバー部の構成を示す要部拡大図である。なお、同図において、図５と同一符号は、同一又は相当部分を示している。
【００５５】
同図において、８１は上カバー５１に上下方向に移動自在に設けられた表示部材である上カバーフラグであり、この上カバーフラグ８１は右カバー５３よりも前に上カバー５１が閉鎖されたとき上カバー５１から突出するようになっている。
【００５６】
なお、８２は上カバー５１が閉鎖されたとき、上カバーフラグ８１を同図に示す上カバー５１の表面よりも下方位置に係止するためのストッパ、８３は上カバーフラグ８１を案内する上カバーフラグガイドである。なお、本実施の形態において、上カバーフラグ８１は、ストッパ８２が上カバーフラグガイド８３の底部に当接する位置から上カバーフラグガイド８３に案内されて上方向へ移動するようになっている。
【００５７】
次に、この上カバーフラグ８１の動作について説明する。
【００５８】
上カバー５１及び右カバー５３が閉鎖されたとき、上カバーフラグ８１の下部は、同図に示すようにカバー検知レバー７１上のカバー検知レバー突起部７６に触れておらず、上カバーフラグ８１は下がった状態となっている。
【００５９】
一方、右カバー５３を開いたまま、上カバー５１を閉じた場合には、つまり上カバー５１が正常に閉鎖されない場合には、右カバー５３が開いている状態のとき、カバー検知レバー７１は図１０に示すように所定の位置で停止しているので、上カバー５１を閉じると、上カバーフラグ８１の下部がカバー検知レバー７６に当接する。
【００６０】
そして、このようにカバー検知レバー７６に当接すると、上カバーフラグ８１は上カバーフラグガイド８２に沿って上昇し、上カバー５１より、上カバー５１が正常に閉鎖されていない、即ち右カバー５３よりも前に上カバー５１が閉鎖されたことを表示する位置に突出する。
【００６１】
このように、右カバー５３が開いた状態で上カバー５１を閉じようとすると、上カバーフラグ８１が上カバー５１が正常に閉鎖されていないことを表示する位置まで突出するようにすることにより、簡易な構成でユーザーに所定の動作を行うように注意を促すことが可能となる。
【００６２】
なお、本実施の形態においては、上カバーフラグ８１は、右カバー５３よりも前に上カバー５１が閉鎖された場合に上カバー５１から突出し、ユーザに注意を促す構成としたが、このような場合には、カバー内部をスライド若しくは回転する表示部材を移動させて表示を切り替えるように構成して良い。
【００６３】
なお、本実施の形態においては、第２の実施の形態の構成をもとに、上カバー５１に表示部材である上カバーフラグ８１を設けたが、第１の実施の形態の構成をもとに、図３に示す上カバー５１と右カバー５３とが開放した状態から上カバー５１を閉鎖する際にセンサ取付台６１と係合する表示部材を上カバー５１に設け、右カバー５３よりも前に上カバー５１が閉鎖されたとき上カバー５１から表示部材が突出するようにしてもよい。
【００６４】
さらに、これまで説明した第１〜第３の実施の形態においては、カバー検知センサとして遮光フラグと組み合わされるフォトインタラプタを用いた場合について述べてきたが、本発明はこれに限らず、カバー検知センサとして例えばタクトスイッチを用いても良い。
【００６５】
【発明の効果】
以上説明したように本発明のように、第１カバーが閉鎖されたことを検知する検知手段を、第２カバーが開放された状態で第１カバーが閉鎖されたときには第１カバーの閉鎖を検知せず、第２カバーが閉鎖された状態で第１カバーが閉鎖されたときに第１カバーの閉鎖を検知するようにすることにより、一つの検知手段により第１及び第２カバーの閉鎖を検知することができる。
【図面の簡単な説明】
【図１】本発明の第１の実施の形態に係るシート供給装置のカバー部の構成を示す斜視図。
【図２】上記シート供給装置のカバー部の上カバーを開放した時の状態を示す斜視図。
【図３】上記シート供給装置のカバー部の右カバーを開放した時の状態を示す斜視図。
【図４】上記シート供給装置のカバー部の右カバーを開放した状態で上カバーを閉鎖した時の状態を示す斜視図。
【図５】本発明の第２の実施の形態に係るシート供給装置のカバー部の構成を示す斜視図。
【図６】上記シート供給装置のカバー部の上カバーを開放した時の状態を示す斜視図。
【図７】上記シート供給装置のカバー部の右カバーを開放した時の状態を示す斜視図。
【図８】上記シート供給装置のカバー部の右カバーを開放した状態で上カバーを閉鎖した時の状態を示す斜視図。
【図９】本発明の第３の実施の形態に係るシート供給装置のカバー部の要部拡大図。
【図１０】上記シート供給装置のカバー部の右カバーを開放した状態で上カバーを閉鎖した時の状態を示す図。
【図１１】本発明の第１の実施の形態に係るシート供給装置を設けた画像形成装置の一部断面正面図。
【図１２】従来のシート供給装置を設けた画像形成装置の一部断面正面図。
【図１３】従来のシート供給装置の上及び右カバーを開放したときの状態を示す図。
【図１４】従来のシート供給装置のカバー部の構成を示す斜視図。
【図１５】従来のシート供給装置の上及び右カバーを開放したときの状態を示す斜視図。
【符号の説明】
１　　　　画像形成装置本体
５０　　　シート供給装置
５０Ａ　　シート供給装置本体
５１　　　上カバー
５３　　　右カバー
５５　　　上カバーセンサフラグ
５７　　　右カバー突起部
６１　　　センサ取付台
６２　　　カバー検知センサ
７１　　　カバー検知レバー
７２　　　カバー検知センサフラグ
７３　　　カバー検知センサ
７６　　　カバー検知レバー突起部
８１　　　上カバーフラグ
Ｓ　　　　シート
【図１】
2004090285.tif 000003
【図２】
2004090285.tif 000004
【図３】
2004090285.tif 000005
【図４】
2004090285.tif 000006
【図５】
2004090285.tif 000007
【図６】
2004090285.tif 000008
【図７】
2004090285.tif 000009
【図８】
2004090285.tif 000010
【図９】
2004090285.tif 000011
【図１０】
2004090285.tif 000012
【図１１】
2004090285.tif 000013
【図１２】
2004090285.tif 000014
【図１３】
2004090285.tif 000015
【図１４】
2004090285.tif 000016
【図１５】
2004090285.tif 000017